(57)【要約】【課題】  廃棄物を詰めた袋、特に大型のごみ袋を確実に効率よく切断，破袋するのに好適な破袋装置を提供する。【解決手段】  走行台車２に載置されるごみ袋１を、走行台車２の走行により走行台車２のごみ袋積載面４，５の下部隙間で回転する回転刃１４で切断する。回転刃１４の切断力は予め設定圧力を調整された空圧シリンダ１６による傾動レバーにより適切な押し付け力を付与する。ごみ袋の切断後は走行台車２のごみ袋積載面４，５に設けた下爪６，７により、ごみ袋の切断部近傍端部を保持してごみ袋積載面４，５が下方へ開放しながら、ごみ袋１を強制的に引き裂き、ごみ袋の内部排出時にごみ袋自体が自重で崩れぬようにごみ袋の側面を上爪１８，２１で保持することにより、ごみ袋１内部の廃棄物を確実に排出することができる。【選択図】図１
2008110819.tif 000002
【特許請求の範囲】
【請求項１】
フォークリフトにより載置されるごみ袋をごみピットの上部まで運ぶ２つのごみ積載面で構成される走行台車と、該走行台車に載置された前記ごみ袋の底面を切断するアームに回転駆動可能に取付けられた回転刃と、前記ごみピット上部でごみ袋の上部を固定するための回転駆動されるレバーに設けられ上爪と、前記走行台車に設けられ前記ごみ袋の底部を固定するための回転駆動される下爪と、前記２つのごみ積載面を下方に開くための駆動装置を備えた破袋装置。
【請求項２】
前記２つのごみ積載面間が前記回転刃と干渉しないように隙間が設けられ、前記アームに押付け力を与える空圧シリンダ又はバネを具備した請求項１に記載の破袋装置。
【請求項３】
前記上爪が、架台上に設けた空圧シリンダにより前記架台にピンにより回動可能に支持されるレバーの先端に設けられた請求項１に記載の破袋装置。
【請求項４】
前記下爪が、空圧シリンダにより駆動されるラックと、該ラックに噛み合わされたピニオンにより回転駆動される請求項１に記載の破袋装置。
【発明の詳細な説明】
【技術分野】
【０００１】
本発明は、ごみ処理施設に受入れる廃棄物を詰めた袋の破袋装置に係り、特に大型のごみ袋の破袋装置に関する。
【背景技術】
【０００２】
ごみ処理施設へ搬入される大型のごみ袋は、円滑な後処理工程のためにごみピットに投入する前にはごみ袋を切断，破袋し、内部に詰められた複数の小さなごみ袋等を効率的に排出する必要がある。特にごみ処理施設がない近隣地から搬入されるごみは通常ビニールフィルムにて約１ｍ四方の袋状に多重に梱包されて搬入されるため、より確実に切断，破袋する必要がある。
【０００３】
従来のゴミ袋の搬送処理装置としては、〔特許文献１〕に記載のように、複数のカッターにより上部からごみ袋を破袋するものがある。
【０００４】
【特許文献１】特開２００１−１９１１２号公報
【発明の開示】
【発明が解決しようとする課題】
【０００５】
〔特許文献１〕に記載のゴミ袋の処理装置は、カッター位置が固定されているため、ごみ袋が小さい場合や袋内部が十分詰っていない場合には、カッターに十分な反力が働かず、ごみ袋の切断，破袋が不十分になる問題があった。
【０００６】
本発明の目的は、廃棄物を詰めた袋、特に大型のごみ袋を確実に効率よく切断，破袋するのに好適な破袋装置を提供することにある。
【課題を解決するための手段】
【０００７】
本発明の破袋装置では、走行台車に載置されるごみ袋を、走行台車の走行により走行台車のごみ袋積載面の下部隙間で回転する回転刃で切断する。回転刃の切断力は予め設定圧力を調整された空圧シリンダによる傾動レバーにより適切な押し付け力を付与する。
【０００８】
ごみ袋の切断後は走行台車のごみ袋積載面に設けた下爪により、ごみ袋の切断部近傍端部を保持してごみ袋積載面が下方へ開放しながら、ごみ袋を強制的に引き裂き、ごみ袋の内部排出時にごみ袋自体が自重で崩れぬようにごみ袋の側面を上爪で保持することにより、ごみ袋内部の廃棄物を確実に排出することができる。
【発明の効果】
【０００９】
本発明によれば、ごみ袋を確実に効率良く切断，破袋することが可能である。
【発明を実施するための最良の形態】
【００１０】
本発明の一実施例を図１から図１１により説明する。図１は、本実施例の破袋装置の構成を示す正面図である。
【００１１】
破袋装置１００は、図１に示すように構成されている。土台２９には円板状の回転刃
１４を支持するための回転刃設置台１７が載置されており、回転刃設置台１７にはアーム１５が回転可能に、アーム１５の先端には回転刃１４が図示されていないモータ及びチェーンにより回転駆動されるように取付けられ、アーム１５には空圧シリンダ１６が取付けられてアーム１５に押付け力を与えるようになっている。なお、空圧シリンダ１６の代わりに、バネ等で構成してもよい。
【００１２】
土台２９に対向して梁２８が設けられ、土台２９と梁２８の間の空間にごみピット２７が設けられている。土台２９及び梁２８の上部で、回転刃１４の下部には床３が設けられ、走行台車２が走行するようになっている。アーム１５は床３に設けられた切り取り部を貫通するように設けられている。
【００１３】
ごみピット２７の上部の床３には、開口部が設けられており、床３にはごみ袋排出部
３０が設置され、このごみ袋排出部３０は、図５に示すように、架台２５の上に設置された空圧シリンダ２０と、空圧シリンダ２０の両端に接続されピン部３１，３２で架台２５に回転可能に支持されたレバー１９，２２と、レバー１９，２２の夫々の先端に設けられた上爪１８，２１で構成される。
【００１４】
走行台車２は、中央部が回転刃１４が通過するように、２つのごみ袋積載面４，５を有し、２つのごみ袋積載面４，５間には、回転刃１４と干渉しないように６０〜８０mmの隙間が設けられている。回転刃１４の上端はごみ袋積載面４，５の上面から回転刃１４の直径である約２００mmの高さとなるようにアーム１５の長さが調整されている。
【００１５】
走行台車２のごみ袋積載面４，５には、それぞれピン８，９が設けられており、走行方向から見てピン８，９を中心に図示しないモータにより回動するようになっている。ごみ袋積載面４，５には、それぞれ下爪６，７が設けられている。図７，図８に示すように空圧シリンダ１３に接続されたラック１２が、下爪６に設けられたピニオン１０と噛み合わされており、空圧シリンダ１３を駆動することによりラック１２が移動して下爪６を回転駆動するようになっている。
【００１６】
図１に示すように、ごみ処理施設に搬入された大型のごみ袋１は、ごみ袋１の側面をフォークリフト２６により挟まれて走行台車２に載置される。走行台車２は図示されてないモータにより、一端が梁２８に連結された床３上を走行し、図２，図３，図４に示すように、ごみ袋１が円板状の回転刃１４に接触すると、回転刃１４を支持しているアーム１５が傾動し、回転刃１４がごみ袋１の底面を切断する。アーム１５に取付けられた空圧シリンダ１６により、予め設定された圧力により回転刃１４はごみ袋１に対して適切な押付力が働き、ごみ袋１の底面が確実に切断される。
【００１７】
走行台車２が床３をさらに走行して、図５，図６に示すように、ごみピット２７の上部のごみピット投入部に停止すると、空圧シリンダ２０が左右方向に駆動されてレバー１９，２２を回転させ、上爪１８，１９をごみ袋１の上部に突き刺さって、図９に示すようにごみ袋１を固定する。
【００１８】
この状態で、空圧シリンダ１３を駆動することにより、ラック１２，ピニオン１０を介して下爪６，７が回動するため、走行台車２のごみ袋積載面４，５の内部に複数設けられた下爪６，７がごみ袋積載面４，５の上面に飛び出てきてごみ袋１の底部の切断部近傍端部を貫通し、保持する。
【００１９】
この後、図示していないモータ駆動により走行台車２のごみ袋積載面４，５が、図９，図１０に示すように、ピン８，９を支点に下方に開くと、回転刃１４によるごみ袋１底部の切断部が両側に大きく裂け、ごみ袋１内部の小さな複数のごみ袋３３等が重力でごみピット２７に落下し、ごみ袋１の内容物が確実に排出される。
【００２０】
図９に示すように、走行台車２のごみ袋積載面４，５が下方に開く前にごみ袋１の両側面から複数の上爪１８，２１でごみ袋１の側面上部を貫通して保持しているので、ごみ袋１が自重により途中で崩れて、ごみ袋１の内部が十分に排出されない不具合が防止できる。
【００２１】
ごみ袋１内の内容物がごみピット２７に落下すると、空圧シリンダ１３を駆動して、図
１０に示すように、下爪６，７を走行台車２のごみ袋積載面４，５の内部に引き戻す。内部の小さな複数のごみ袋３３の排出終了後に、空圧シリンダ２０を駆動して、上爪１８，２１を元の位置に戻す。この際、ごみ袋１に上爪１８，２１が食い込んだまま、ごみ袋１自体がごみピット２７に排出されない不具合が生じるのを防止するため、上爪１８，２１を元の位置に戻す時に、隣接して設置されたゴム製のジャバラ２３，２４にてごみ袋１をしごき取り、ごみ袋１も図１１に示すようにごみピット２７へ排出する。その後、走行台車２のごみ袋積載面４，５を元の位置まで閉じ、図１１に示すように走行台車２も元の位置まで戻す。
【００２２】
以上の１サイクル動作を自動シーケンスを組むことにより、ごみ袋１を走行台車２のごみ袋積載面４，５に積載した後は、走行台車２は一往復動作を行い、ごみ袋１の切断，破袋処理が効率的および確実に完了することができる。
【図面の簡単な説明】
【００２３】
【図１】本発明の一実施例である破袋装置の構成を示す正面図。
【図２】破袋装置の走行台車上のごみ袋の回転刃による切断状態を示す正面図。
【図３】図２の一部を拡大して示す正面図。
【図４】図３の矢視Ａ−Ａ断面図。
【図５】ゴミ排出部の詳細を示す正面図。
【図６】ゴミ排出状態を示す正面図。
【図７】下爪機構の動作を示す正面図。
【図８】下爪機構の動作を示す正面図。
【図９】ごみ袋内部の小さな複数のごみ袋の排出時の状態を示す側面図。
【図１０】ごみ袋内部の小さな複数のごみ袋の排出後の状態を示す側面図。
【図１１】破袋装置の走行台車が元の位置へ復帰した状態を示す正面図。
【符号の説明】
【００２４】
１  ごみ袋
２  走行台車
３  床
４，５  ごみ袋積載面
６，７  下爪
１４  回転刃
１５  アーム
１６  空圧シリンダ
１８，２１  上爪
【図１】
2008110819.tif 000003
【図２】
2008110819.tif 000004
【図３】
2008110819.tif 000005
【図４】
2008110819.tif 000006
【図５】
2008110819.tif 000007
【図６】
2008110819.tif 000008
【図７】
2008110819.tif 000009
【図８】
2008110819.tif 000010
【図９】
2008110819.tif 000011
【図１０】
2008110819.tif 000012
【図１１】
2008110819.tif 000013